【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
下記の要件を備えたことを特徴とする車両玩具の車輪装置。
（イ）一対のレール上に載置されるように構成され、第１の車軸と、第１の車軸の両側に設けられた第１及び第２の車輪とからなること。
（ロ）第１の車輪は、一方のレール上を転動する第１の車輪本体と、一方のレールでガイドされる第１のフランジとからなり、第１の車輪本体及び第１のフランジが合成樹脂によって形成されていること。
（ハ）第２の車輪は、他方のレール上を転動する第２の車輪本体と、他方のレールでガイドされる第２のフランジとからなり、少なくとも第２の車輪本体が磁力により吸着する部材によって形成されていること。
【請求項２】
第２の車輪本体が磁石によって形成されていることを特徴とする請求項１記載の車両玩具の車輪装置。
【請求項３】
第２の車輪本体が、磁石と、当該磁石を内部に備え、円軸状に形成された転動軸とからなることを特徴とする請求項１記載の車両玩具の車輪装置。
【請求項４】
転動軸が強磁性体によって形成されていることを特徴とする請求項３記載の車両玩具の車輪装置。
【請求項５】
第１の車輪本体と、第１のフランジと、第１の車軸と、第２のフランジが合成樹脂によって形成されていることを特徴とする請求項１乃至４のいずれか１項に記載の車両玩具の車輪装置。
【請求項６】
第１の車軸には、歯車が形成されていることを特徴とする請求項１乃至５のいずれか１項に記載の車両玩具の車輪装置。
【請求項７】
下記の要件を備えたことを特徴とする車両玩具。
（イ）車両玩具本体は、車台と、車台の前後に取り付けられた台車枠を有すること。
（ロ）台車枠には、請求項１乃至６のいずれか１項に記載の車両玩具の車輪装置が一対設けられていること。
（ハ）前記一対の車輪装置は、磁力により吸着する部材で形成された第２の車輪本体が異なるレールに接地するように台車枠に回動可能に取り付けられていること。
【請求項８】
下記の要件を備えたことを特徴とする車両玩具の車輪装置。
（イ）一対のレール上に載置されるように構成され、第２の車軸と、第２の車軸の両側に設けられた第３及び第４の車輪とからなること。
（ロ）第３の車輪は、一方のレール上を転動する第３の車輪本体と、一方のレールでガイドされる第３のフランジとからなり、第３の車輪本体及び第３のフランジが合成樹脂によって形成されていること。
（ハ）第４の車輪は、他方のレール上を転動する第４の車輪本体と、他方のレールでガイドされる第４のフランジとからなること。
（ニ）第４の車輪本体は、第２の車軸によって構成され、磁力により吸着する部材によって形成されていること。
【請求項９】
第４の車輪本体が磁石によって形成されていることを特徴とする請求項８記載の車両玩具の車輪装置。
【請求項１０】
第４の車輪本体が、磁石と、当該磁石を内部に備え、円軸状の強磁性体によって形成さ
れた転動軸とからなることを特徴とする請求項８記載の車両玩具の車輪装置。
【請求項１１】
第３の車輪本体と、第３のフランジと、第４のフランジが合成樹脂によって形成されていることを特徴とする請求項８、９又は１０記載の車両玩具の車輪装置。
【請求項１２】
第２の車軸の第３の車輪と第４の車輪の間には、第２の車軸と導通する導電リングが設けられていることを特徴とする請求項８乃至１１のいずれか１項に記載の車両玩具の車輪装置。
【請求項１３】
下記の要件を備えたことを特徴とする車両玩具。
（イ）車両玩具本体は、車台と、車台の前後に取り付けられた台車枠を有すること。
（ロ）台車枠には、請求項８乃至１２のいずれか１項に記載の車両玩具の車輪装置が一対設けられていること。
（ハ）前記一対の車輪装置は、磁力により吸着する部材で形成された第４の車輪本体が異なるレールに接地するように台車枠に回動可能に取り付けられていること。
【請求項１４】
下記の要件を備えたことを特徴とする車両玩具。
（イ）車両玩具本体は、車台と、車台の前後に取り付けられた台車枠を有すること。
（ロ）前部又は後部の一方に取り付けられた台車枠には、請求項６記載の車両玩具の車輪装置が一対設けられていること。
（ハ）前部又は後部の他方に取り付けられた台車枠には、請求項１２記載の車両玩具の車輪装置が一対設けられていること。
（ニ）車台には、駆動モータと、駆動モータの回転を一対の請求項６記載の車両玩具の車輪装置の歯車に伝達する歯車群が設けられていること。
（ホ）車台には、一対の請求項１２記載の車両玩具の車輪装置の一方の導電リングに摺接する第１の導電接触子と、他方の導電リングに摺接する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
【請求項１５】
前記一対の請求項６記載の車両玩具の車輪装置の磁力により吸着する部材で形成された第２の車輪本体と、前記一対の請求項１２記載の車両玩具の車輪装置の磁力により吸着する部材で形成された第４の車輪本体が、順番に異なるレールに接地するように配置されていることを特徴とする請求項１４記載の車両玩具。
【請求項１６】
下記の要件を備えたことを特徴とする車両玩具。
（イ）車両玩具本体は、車台と、車台の前後に取り付けられた台車枠を有すること。
（ロ）前部又は後部に取り付けられた台車枠には、請求項１２記載の車両玩具の車輪装置が一対設けられていること。
（ハ）車台には、電気部品が設けられていること。
（二）車台には、一対の請求項１２記載の車両玩具の車輪装置の一方の導電リングに摺接する第１の導電接触子と、他方の導電リングに摺接する第２の導電接触子とが設けられ、第１の導電接触子は、電気部品の正極端子又は負極端子の一方に電気的に接続され、第２の導電接触子は、電気部品の正極端子又は負極端子の他方に電気的に接続されていること。
【請求項１７】
下記の要件を備えたことを特徴とする車両玩具。
（イ）車両玩具本体は、車台と、車台の前後に取り付けられた台車枠を有すること。
（ロ）前部及び後部に取り付けられた台車枠には、請求項１２記載の車両玩具の車輪装置が設けられていること。
（ハ）車台には、電気部品が設けられていること。
（二）車台には、前部の請求項１２記載の車両玩具の車輪装置の導電リングに摺接する第３の導電接触子と、後部の請求項１２記載の車両玩具の車輪装置の導電リングに摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【請求項１８】
下記の要件を備えたことを特徴とする車両玩具の車輪装置。
（イ）一対のレール上に載置されるように構成され、車軸と、車軸の両側に設けられた一対の車輪とからなること。
（ロ）車輪は、取付軸とフランジを有する車輪本体と、取付軸に取り付けられる磁石輪とからなり、磁石輪がレール上を転動し、フランジがレールでガイドされるようになっていること。
【請求項１９】
前記車軸は合成樹脂によって形成され、前記車輪本体は強磁性体によって形成されていることを特徴とする請求項１８記載の車両玩具の車輪装置。
【請求項２０】
前記車軸には、歯車が設けられていることを特徴とする請求項１８又は１９記載の車両玩具の車輪装置。
【請求項２１】
前記車輪本体には、車軸が回動可能に支持される支持凹部が形成されていることを特徴とする請求項１９又は２０記載の車両玩具の車輪装置。
【請求項２２】
下記の要件を備えたことを特徴とする車両玩具の車輪装置。
（イ）一対のレール上に載置されるように構成され、第２の車軸と、第２の車軸の両側に設けられた第３及び第４の車輪とからなること。
（ロ）第３の車輪は、取付軸と第３のフランジを有する第３の車輪本体と、取付軸に取り付けられる磁石輪とからなり、磁石輪が一方のレール上を転動し、第３のフランジが一方のレールでガイドされるようになっていること。
（ハ）第４の車輪は、他方のレール上を転動する第４の車輪本体と、他方のレールでガイドされる第４のフランジとからなること。
（ニ）第２の車軸、第３の車輪本体及び第４の車輪は、強磁性体によって形成されていること。
（ホ）第３の車輪本体は、第２の車軸の一方に直接取り付けられ、第２の車軸と導通するようになっていること。
（ヘ）第４の車輪は、第２の車軸の他方に合成樹脂によって形成された補助部材を介して取り付けられ、第２の車軸と導通しないようになっていること。
【請求項２３】
前記車輪本体には、車軸が回動可能に支持される支持凹部が形成されていることを特徴とする請求項２２記載の車両玩具の車輪装置。
【請求項２４】
下記の要件を備えたことを特徴とする車両玩具。
（イ）車両玩具本体は、車台と、車台の前後に取り付けられた台車枠を有すること。
（ロ）前部又は後部の一方に取り付けられた台車枠には、請求項２０記載の車両玩具の車輪装置が一対設けられていること。
（ハ）前部又は後部の他方に取り付けられた台車枠には、請求項２２記載の車両玩具の車輪装置が一対設けられていること。
（ニ）車台には、駆動モータと、駆動モータの回転を一対の請求項２０記載の車両玩具の車輪装置の歯車に伝達する歯車群が設けられていること。
（ホ）車台には、一対の請求項２２記載の車両玩具の車輪装置の一方の第２の車軸に摺接する第１の導電接触子と、他方の第２の車軸に摺接する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
【請求項２５】
下記の要件を備えたことを特徴とする車両玩具。
（イ）車両玩具本体は、車台と、車台の前後に取り付けられた台車枠を有すること。
（ロ）前部又は後部に取り付けられた台車枠には、請求項２２記載の車両玩具の車輪装置が一対設けられていること。
（ハ）車台には、電気部品が設けられていること。
（ニ）車台には、一対の請求項２２記載の車両玩具の車輪装置の一方の第２の車軸に摺接する第３の導電接触子と、他方の第２の車軸に摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【請求項２６】
下記の要件を備えたことを特徴とする車両玩具。
（イ）車両玩具本体は、車台と、車台の前後に取り付けられた台車枠を有すること。
（ロ）前部及び後部に取り付けられた台車枠には、請求項２２記載の車両玩具の車輪装置がそれぞれ設けられていること。
（ハ）車台には、電気部品が設けられていること。
（二）車台には、前部の台車枠に取り付けられた請求項２２記載の車両玩具の車輪装置の第２の車軸に摺接する第３の導電接触子と、後部の台車枠に取り付けられた請求項２２記載の車両玩具の車輪装置の第２の車軸に摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【請求項２７】
下記の要件を備えたことを特徴とする車両玩具の台車枠。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、請求項２１記載の車両玩具の車輪装置の支持凹部が回動可能に支持されていること。
【請求項２８】
下記の要件を備えたことを特徴とする車両玩具の台車枠。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、請求項２３記載の車両玩具の車輪装置の支持凹部が回動可能に支持されていること。
【請求項２９】
下記の要件を備えたことを特徴とする車両玩具。
（イ）車両玩具本体は、車台と、車台の前部又は後部に取り付けられた請求項２７記載の車両玩具の台車枠を有すること。
（ロ）車台には、駆動モータと、駆動モータの回転を一対の請求項２１記載の車両玩具の車輪装置の歯車に伝達する歯車群が設けられていること。
（ハ）車台には、請求項２７記載の車両玩具の台車枠の一方の突片に接触する第１の導電接触子と、請求項２７記載の車両玩具の台車枠の他方の突片に接触する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
【請求項３０】
下記の要件を備えたことを特徴とする車両玩具。
（イ）車両玩具本体は、車台と、車台の前部又は後部に取り付けられた請求項２７記載の車両玩具の台車枠を有すること。
（ロ）車台には、電気部品が設けられていること。
（ハ）車台には、請求項２７記載の車両玩具の台車枠の一方の突片に接触する第３の導電接触子と、請求項２７記載の車両玩具の台車枠の他方の突片に接触する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【請求項３１】
下記の要件を備えたことを特徴とする車両玩具の台車枠。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、車輪装置が回動可能に支持されていること。
（ニ）車輪装置は、一対のレール上に載置されるように構成され、車軸と、車軸の両側に設けられた一対の車輪とからなること。
（ホ）車輪は、レール上を転動する車輪本体と、レールでガイドされるフランジとからなること。
（ヘ）前記車軸は合成樹脂によって形成され、前記車輪は強磁性体によって形成されていること。
（ト）前記車輪本体には、前記軸受板の支持凸部に回動可能に支持される支持凹部が形成されていること。
【請求項３２】
下記の要件を備えたことを特徴とする車両玩具。
（イ）車両玩具本体は、車台と、車台の前部又は後部に取り付けられた請求項３１記載の車両玩具の台車枠を有すること。
（ロ）車台には、電気部品が設けられていること。
（ハ）車台には、請求項３１記載の車両玩具の台車枠の一方の突片に接触する第３の導電接触子と、請求項３１記載の車両玩具の台車枠の他方の突片に接触する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【手続補正２】
【補正対象書類名】明細書
【補正対象項目名】発明の名称
【補正方法】変更
【補正の内容】
【発明の名称】車両玩具の車輪装置、車両玩具及び車両玩具の台車枠
【手続補正３】
【補正対象書類名】明細書
【補正対象項目名】０００６
【補正方法】変更
【補正の内容】
【０００６】
本願請求項２に係る車両玩具の車輪装置は、上記目的を達成するため、上記第２の車輪本体が磁石によって形成されていることを特徴とする。
本願請求項３に係る車両玩具の車輪装置は、上記目的を達成するため、上記第２の車輪本体が、磁石と、当該磁石を内部に備え、円軸状に形成された転動軸とからなることを特徴とする。
本願請求項４に係る車両玩具の車輪装置は、上記目的を達成するため、上記転動軸が強磁性体によって形成されていることを特徴とする。
本願請求項５に係る車両玩具の車輪装置は、上記目的を達成するため、上記第１の車輪本体と、第１のフランジと、第１の車軸と、第２のフランジが合成樹脂によって形成されていることを特徴とする。
【手続補正４】
【補正対象書類名】明細書
【補正対象項目名】０００７
【補正方法】変更
【補正の内容】
【０００７】
本願請求項６に係る車両玩具の車輪装置は、上記目的を達成するため、上記第１の車軸には、歯車が形成されていることを特徴とする。
本願請求項７に係る車両玩具は、上記目的を達成するため、下記の要件を備えたことを特徴とする。
（イ）車両玩具本体は、車台と、車台の前後に取り付けられた台車枠を有すること。
（ロ）台車枠には、請求項１乃至６のいずれか１項に記載の車両玩具の車輪装置が一対設けられていること。
（ハ）前記一対の車輪装置は、磁力により吸着する部材で形成された第２の車輪本体が異なるレールに接地するように台車枠に回動可能に取り付けられていること。
【手続補正５】
【補正対象書類名】明細書
【補正対象項目名】０００８
【補正方法】変更
【補正の内容】
【０００８】
本願請求項８に係る車両玩具の車輪装置は、上記目的を達成するため、下記の要件を備えたことを特徴とする。
（イ）一対のレール上に載置されるように構成され、第２の車軸と、第２の車軸の両側に設けられた第３及び第４の車輪とからなること。
（ロ）第３の車輪は、一方のレール上を転動する第３の車輪本体と、一方のレールでガイドされる第３のフランジとからなり、第３の車輪本体及び第３のフランジが合成樹脂によって形成されていること。
（ハ）第４の車輪は、他方のレール上を転動する第４の車輪本体と、他方のレールでガイドされる第４のフランジとからなること。
（ニ）第４の車輪本体は、第２の車軸によって構成され、磁力により吸着する部材によって形成されていること。
【手続補正６】
【補正対象書類名】明細書
【補正対象項目名】０００９
【補正方法】変更
【補正の内容】
【０００９】
本願請求項９に係る車両玩具の車輪装置は、上記目的を達成するため、上記第４の車輪本体が磁石によって形成されていることを特徴とする。
本願請求項１０に係る車両玩具の車輪装置は、上記目的を達成するため、上記第４の車輪本体が、磁石と、当該磁石を内部に備え、円軸状の強磁性体によって形成された転動軸とからなることを特徴とする。
本願請求項１１に係る車両玩具の車輪装置は、上記目的を達成するため、上記第３の車輪本体と、第３のフランジと、第４のフランジが合成樹脂によって形成されていることを特徴とする。
【手続補正７】
【補正対象書類名】明細書
【補正対象項目名】００１０
【補正方法】変更
【補正の内容】
【００１０】
本願請求項１２に係る車両玩具の車輪装置は、上記目的を達成するため、上記第２の車軸の第３の車輪と第４の車輪の間には、第２の車軸と導通する導電リングが設けられていることを特徴とする。
本願請求項１３に係る車両玩具は、上記目的を達成するため、下記の要件を備えたことを特徴とする。
（イ）車両玩具本体は、車台と、車台の前後に取り付けられた台車枠を有すること。
（ロ）台車枠には、請求項８乃至１２のいずれか１項に記載の車両玩具の車輪装置が一対設けられていること。
（ハ）前記一対の車輪装置は、磁力により吸着する部材で形成された第４の車輪本体が異なるレールに接地するように台車枠に回動可能に取り付けられていること。
【手続補正８】
【補正対象書類名】明細書
【補正対象項目名】００１１
【補正方法】変更
【補正の内容】
【００１１】
本願請求項１４に係る車両玩具は、上記目的を達成するため、下記の要件を備えたことを特徴とする。
（イ）車両玩具本体は、車台と、車台の前後に取り付けられた台車枠を有すること。
（ロ）前部又は後部の一方に取り付けられた台車枠には、請求項６記載の車両玩具の車輪装置が一対設けられていること。
（ハ）前部又は後部の他方に取り付けられた台車枠には、請求項１２記載の車両玩具の車輪装置が一対設けられていること。
（ニ）車台には、駆動モータと、駆動モータの回転を一対の請求項６記載の車両玩具の車輪装置の歯車に伝達する歯車群が設けられていること。
（ホ）車台には、一対の請求項１２記載の車両玩具の車輪装置の一方の導電リングに摺接する第１の導電接触子と、他方の導電リングに摺接する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
本願請求項１５に係る車両玩具は、上記目的を達成するため、前記一対の請求項６記載の車両玩具の車輪装置の磁力により吸着する部材で形成された第２の車輪本体と、前記一対の請求項１２記載の車両玩具の車輪装置の磁力により吸着する部材で形成された第４の車輪本体が、順番に異なるレールに接地するように配置されていることを特徴とする。
【手続補正９】
【補正対象書類名】明細書
【補正対象項目名】００１２
【補正方法】変更
【補正の内容】
【００１２】
本願請求項１６に係る車両玩具は、上記目的を達成するため、下記の要件を備えたことを特徴とする。
（イ）車両玩具本体は、車台と、車台の前後に取り付けられた台車枠を有すること。
（ロ）前部又は後部に取り付けられた台車枠には、請求項１２記載の車両玩具の車輪装置が一対設けられていること。
（ハ）車台には、電気部品が設けられていること。
（二）車台には、一対の請求項１２記載の車両玩具の車輪装置の一方の導電リングに摺接する第１の導電接触子と、他方の導電リングに摺接する第２の導電接触子とが設けられ、第１の導電接触子は、電気部品の正極端子又は負極端子の一方に電気的に接続され、第２の導電接触子は、電気部品の正極端子又は負極端子の他方に電気的に接続されていること。
【手続補正１０】
【補正対象書類名】明細書
【補正対象項目名】００１３
【補正方法】変更
【補正の内容】
【００１３】
本願請求項１７に係る車両玩具は、上記目的を達成するため、下記の要件を備えたことを特徴とする。
（イ）車両玩具本体は、車台と、車台の前後に取り付けられた台車枠を有すること。
（ロ）前部及び後部に取り付けられた台車枠には、請求項１２記載の車両玩具の車輪装置が設けられていること。
（ハ）車台には、電気部品が設けられていること。
（二）車台には、前部の請求項１２記載の車両玩具の車輪装置の導電リングに摺接する第３の導電接触子と、後部の請求項１２記載の車両玩具の車輪装置の導電リングに摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【手続補正１１】
【補正対象書類名】明細書
【補正対象項目名】００１４
【補正方法】変更
【補正の内容】
【００１４】
本願請求項１８に係る車両玩具の車輪装置は、上記目的を達成するため、下記の要件を備えたことを特徴とする。
（イ）一対のレール上に載置されるように構成され、車軸と、車軸の両側に設けられた一対の車輪とからなること。
（ロ）車輪は、取付軸とフランジを有する車輪本体と、取付軸に取り付けられる磁石輪とからなり、磁石輪がレール上を転動し、フランジがレールでガイドされるようになっていること。
本願請求項１９に係る車両玩具の車輪装置は、上記目的を達成するため、前記車軸は合成樹脂によって形成され、前記車輪本体は強磁性体によって形成されていることを特徴とする。
本願請求項２０に係る車両玩具の車輪装置は、上記目的を達成するため、前記車軸には、歯車が設けられていることを特徴とする。
本願請求項２１に係る車両玩具の車輪装置は、上記目的を達成するため、前記車輪本体には、車軸が回動可能に支持される支持凹部が形成されていることを特徴とする。
【手続補正１２】
【補正対象書類名】明細書
【補正対象項目名】００１５
【補正方法】変更
【補正の内容】
【００１５】
本願請求項２２に係る車両玩具の車輪装置は、上記目的を達成するため、下記の要件を備えたことを特徴とする。
（イ）一対のレール上に載置されるように構成され、第２の車軸と、第２の車軸の両側に設けられた第３及び第４の車輪とからなること。
（ロ）第３の車輪は、取付軸と第３のフランジを有する第３の車輪本体と、取付軸に取り付けられる磁石輪とからなり、磁石輪が一方のレール上を転動し、第３のフランジが一方のレールでガイドされるようになっていること。
（ハ）第４の車輪は、他方のレール上を転動する第４の車輪本体と、他方のレールでガイドされる第４のフランジとからなること。
（ニ）第２の車軸、第３の車輪本体及び第４の車輪は、強磁性体によって形成されていること。
（ホ）第３の車輪本体は、第２の車軸の一方に直接取り付けられ、第２の車軸と導通するようになっていること。
（ヘ）第４の車輪は、第２の車軸の他方に合成樹脂によって形成された補助部材を介して取り付けられ、第２の車軸と導通しないようになっていること。
本願請求項２３に係る車両玩具の車輪装置は、上記目的を達成するため、前記車輪本体には、車軸が回動可能に支持される支持凹部が形成されていることを特徴とする。
【手続補正１３】
【補正対象書類名】明細書
【補正対象項目名】００１６
【補正方法】変更
【補正の内容】
【００１６】
本願請求項２４に係る車両玩具は、上記目的を達成するため、下記の要件を備えたことを特徴とする。
（イ）車両玩具本体は、車台と、車台の前後に取り付けられた台車枠を有すること。
（ロ）前部又は後部の一方に取り付けられた台車枠には、請求項２０記載の車両玩具の車輪装置が一対設けられていること。
（ハ）前部又は後部の他方に取り付けられた台車枠には、請求項２２記載の車両玩具の車輪装置が一対設けられていること。
（ニ）車台には、駆動モータと、駆動モータの回転を一対の請求項２０記載の車両玩具の車輪装置の歯車に伝達する歯車群が設けられていること。
（ホ）車台には、一対の請求項２２記載の車両玩具の車輪装置の一方の第２の車軸に摺接する第１の導電接触子と、他方の第２の車軸に摺接する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
【手続補正１４】
【補正対象書類名】明細書
【補正対象項目名】００１７
【補正方法】変更
【補正の内容】
【００１７】
本願請求項２５に係る車両玩具は、上記目的を達成するため、下記の要件を備えたことを特徴とする。
（イ）車両玩具本体は、車台と、車台の前後に取り付けられた台車枠を有すること。
（ロ）前部又は後部に取り付けられた台車枠には、請求項２２記載の車両玩具の車輪装置が一対設けられていること。
（ハ）車台には、電気部品が設けられていること。
（ニ）車台には、一対の請求項２２記載の車両玩具の車輪装置の一方の第２の車軸に摺接する第３の導電接触子と、他方の第２の車軸に摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
本願請求項２６に係る車両玩具は、上記目的を達成するため、下記の要件を備えたことを特徴とする。
（イ）車両玩具本体は、車台と、車台の前後に取り付けられた台車枠を有すること。
（ロ）前部及び後部に取り付けられた台車枠には、請求項２２記載の車両玩具の車輪装置がそれぞれ設けられていること。
（ハ）車台には、電気部品が設けられていること。
（二）車台には、前部の台車枠に取り付けられた請求項２２記載の車両玩具の車輪装置の第２の車軸に摺接する第３の導電接触子と、後部の台車枠に取り付けられた請求項２２記載の車両玩具の車輪装置の第２の車軸に摺接する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【手続補正１５】
【補正対象書類名】明細書
【補正対象項目名】００１８
【補正方法】変更
【補正の内容】
【００１８】
本願請求項２７に係る車両玩具の台車枠は、上記目的を達成するため、下記の要件を備えたことを特徴とする。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、請求項２１記載の車両玩具の車輪装置の支持凹部が回動可能に支持されていること。
本願請求項２８に係る車両玩具の台車枠は、上記目的を達成するため、下記の要件を備えたことを特徴とする。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、請求項２３記載の車両玩具の車輪装置の支持凹部が回動可能に支持されていること。
【手続補正１６】
【補正対象書類名】明細書
【補正対象項目名】００１９
【補正方法】変更
【補正の内容】
【００１９】
本願請求項２９に係る車両玩具は、上記目的を達成するため、下記の要件を備えたことを特徴とする。
（イ）車両玩具本体は、車台と、車台の前部又は後部に取り付けられた請求項２７記載の車両玩具の台車枠を有すること。
（ロ）車台には、駆動モータと、駆動モータの回転を一対の請求項２１記載の車両玩具の車輪装置の歯車に伝達する歯車群が設けられていること。
（ハ）車台には、請求項２７記載の車両玩具の台車枠の一方の突片に接触する第１の導電接触子と、請求項２７記載の車両玩具の台車枠の他方の突片に接触する第２の導電接触子とが設けられ、第１の導電接触子は、駆動モータの正極端子又は負極端子の一方に電気的に接続され、第２の導電接触子は、駆動モータの正極端子又は負極端子の他方に電気的に接続されていること。
本願請求項３０に係る車両玩具は、上記目的を達成するため、下記の要件を備えたことを特徴とする。
（イ）車両玩具本体は、車台と、車台の前部又は後部に取り付けられた請求項２７記載の車両玩具の台車枠を有すること。
（ロ）車台には、電気部品が設けられていること。
（ハ）車台には、請求項２７記載の車両玩具の台車枠の一方の突片に接触する第３の導電接触子と、請求項２７記載の車両玩具の台車枠の他方の突片に接触する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。
【手続補正１７】
【補正対象書類名】明細書
【補正対象項目名】００２０
【補正方法】変更
【補正の内容】
【００２０】
本願請求項３１に係る車両玩具の台車枠は、上記目的を達成するため、下記の要件を備えたことを特徴とする。
（イ）主枠と、主枠に対向して取り付けられた一対の軸受板とからなること。
（ロ）軸受板は、強磁性体で形成され、一対の支持凸部と突片が設けられていること。
（ハ）一対の軸受板の対向する支持凸部には、車輪装置が回動可能に支持されていること。
（ニ）車輪装置は、一対のレール上に載置されるように構成され、車軸と、車軸の両側に設けられた一対の車輪とからなること。
（ホ）車輪は、レール上を転動する車輪本体と、レールでガイドされるフランジとからなること。
（ヘ）前記車軸は合成樹脂によって形成され、前記車輪は強磁性体によって形成されていること。
（ト）前記車輪本体には、前記軸受板の支持凸部に回動可能に支持される支持凹部が形成されていること。
【手続補正１８】
【補正対象書類名】明細書
【補正対象項目名】００２１
【補正方法】変更
【補正の内容】
【００２１】
本願請求項３２に係る車両玩具は、上記目的を達成するため、下記の要件を備えたことを特徴とする。
（イ）車両玩具本体は、車台と、車台の前部又は後部に取り付けられた請求項３１記載の車両玩具の台車枠を有すること。
（ロ）車台には、電気部品が設けられていること。
（ハ）車台には、請求項３１記載の車両玩具の台車枠の一方の突片に接触する第３の導電接触子と、請求項３１記載の車両玩具の台車枠の他方の突片に接触する第４の導電接触子とが設けられ、第３の導電接触子は、電気部品の正極端子又は負極端子の一方に電気的に接続され、第４の導電接触子は、電気部品の正極端子又は負極端子の他方に電気的に接続されていること。